(57)【要約】【課題】遊技盤面全体に展開する大型のギミックを変形させることによりギミックの全体形状に大きな変化を与えて種々の演出効果を発揮できるようにした。【解決手段】環状の駆動ギヤ５１と、駆動ギヤの前面側に同軸状且つ該駆動ギヤとは相対回転可能に支持された円盤状の従動ギヤ６０と、伝達部材７０と、カムスリット６５ａ〜６５ｄと、駆動ギヤに固定されると共に一つのカムスリット内に遊嵌された固定ピン６６と、固定ピンにより回転自在に支持された少なくとも一つのギミック片３１、３２と、ギミック片の他の部位に回転自在に支持され且つ他のカムスリット内に遊嵌した可動ピンと、を備え、駆動ギヤの回転時に伝達部材から伝達される駆動力によって従動ギヤが該駆動ギヤと一体回転し、駆動ギヤの停止時に従動ギヤが回動することにより、各カムスリットに沿って各ピンが相対移動してギミック片を動作させる。【選択図】図３
2011015736.tif 000002
【特許請求の範囲】
【請求項１】
従動ギヤ支持部材により回転自在に支持された円盤状の従動ギヤと、前記従動ギヤの盤面に貫通形成された複数のカムスリットと、前記従動ギヤ支持部材に固定されると共に一つのカムスリット内に遊嵌された固定ピンと、該固定ピンにより回転自在に支持された少なくとも一つのギミック片と、該ギミック片の他の部位に回転自在に支持され且つ他のカムスリット内に遊嵌した可動ピンと、を備え、
前記固定ピンを遊嵌する前記カムスリットは、前記従動ギヤと同軸状の円弧形状を備えており、
前記従動ギヤが回動することにより、前記各カムスリットに沿って前記固定ピンと可動ピンが相対移動して前記ギミック片を動作させることを特徴とする可動盤面部品。
【請求項２】
ベース部材により回転自在に支持された環状の駆動ギヤと、該駆動ギヤの前面側に同軸状且つ該駆動ギヤとは相対回転可能に支持された円盤状の従動ギヤと、前記駆動ギヤを回転駆動する駆動源と、該駆動ギヤの回転駆動力を従動ギヤに伝達する伝達部材と、前記従動ギヤの盤面に貫通形成された複数のカムスリットと、前記駆動ギヤに固定されると共に一つのカムスリット内に遊嵌された固定ピンと、固定ピンにより回転自在に支持された少なくとも一つのギミック片と、ギミック片の他の部位に回転自在に支持され且つ他のカムスリット内に遊嵌した可動ピンと、を備え、
前記固定ピンを遊嵌する前記カムスリットは、前記従動ギヤと同軸状の円弧形状を備えており、
前記駆動ギヤの回転時に前記伝達部材から伝達される駆動力によって前記従動ギヤが該駆動ギヤと一体回転し、
前記駆動ギヤの停止時に前記従動ギヤが回動することにより、前記各カムスリットに沿って前記固定ピンと可動ピンが相対移動して前記ギミック片を動作させることを特徴とする可動盤面部品。
【請求項３】
前記伝達部材は、一端部を回動自在に軸支された少なくとも二個のリンク片と、該各リンク片によって夫々回転自在に軸支され互いに一列に噛合した小ギヤ列と、から成り、一方のリンク片により軸支された固定小ギヤは前記ベース部材により回転自在に軸固定され且つ前記駆動ギヤと噛合しており、他方のリンク片により軸支された可動小ギヤは前記従動ギヤと噛合しており、
前記リンク片の位置関係を変化させることにより前記固定小ギヤに対して前記可動小ギヤを接近・離間させ、且つ前記可動小ギヤを前記従動ギヤ外周に沿って進退させる過程で該従動ギヤだけを回動させる構成を備えていることを特徴とする請求項２に記載の可動盤面部品。
【請求項４】
前記駆動ギヤの停止時に前記従動ギヤが一方向へ回動することにより、前記各カムスリットに沿って前記固定ピンと前記可動ピンが相対移動して前記各ギミック片を結集方向へ動作させてギミックの完成形状を形成し、
前記駆動ギヤの停止時に前記従動ギヤが他方向へ回動することにより、前記各カムスリットに沿って前記固定ピンと前記可動ピンが他方向へ相対移動して前記各ギミック片を動作させることにより前記ギミックの完成形状を解消することを特徴とする請求項２、又は３に記載の可動盤面部品。
【請求項５】
前記伝達部材は、前記駆動ギヤ及び前記従動ギヤの外周ギヤ部に沿って配置されていることを特徴とする請求項２乃至４の何れか一項に記載の可動盤面部品。
【請求項６】
前記ギミックは、開閉自在に連結された２つのギミック片から成るギミック片ユニットを複数個備えており、前記各ギミック片に設けた前記可動ピンを前記他のカムスリットに遊嵌した構成を備えていることを特徴とする請求項２乃至５の何れか一項に記載の可動盤面部品。
【請求項７】
前記ギミック片に搭載したＬＥＤと、前記駆動ギヤの円周方向に沿って配置された導板と、前記ＬＥＤと前記導板とを電気的に接続するハーネスと、前記導板と摺動的に接触する摺動電極と、該摺動電極にＬＥＤ用の電力を供給する電源と、を備えたことを特徴とする請求項２乃至６の何れか一項に記載の可動盤面部品。
【請求項８】
遊技盤と、該遊技盤の背面側に配置された請求項２乃至７の何れか一項に記載の可動盤面部品と、を備えたことを特徴とする遊技盤ユニット。
【請求項９】
前記遊技盤は、少なくとも一部が透明な透明遊技盤であることを特徴とする請求項８に記載の遊技盤ユニット。
【請求項１０】
請求項８、又は９に記載の遊技盤ユニットを備えたことを特徴とするパチンコ遊技機。
【発明の詳細な説明】
【技術分野】
【０００１】
本発明は、パチンコ遊技機を構成する遊技盤面上において種々動作することによって遊技進行上特徴的な演出効果を発揮するように構成された可動盤面部品、遊技盤ユニット、及びパチンコ遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。例えば、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、大当たりになると図柄表示装置の表示内容に連動して役物を左右に動作させる構成が開示されている。また、特許文献２には、図柄が所定の組合せになると、役物を遊技盤の前後方向に移動させる構成が開示されている。
【先行技術文献】
【特許文献】
【０００３】
【特許文献１】特開２００４−１９５０８４公報
【特許文献２】特開平０６−００７５０９号公報
【発明の概要】
【発明が解決しようとする課題】
【０００４】
以上のように従来の可動盤面部品を進退動作させる機構にあっては、左右方向、或いは前後方向に単純に動作させたり、遊技盤の視認可能領域外にあった盤面部品が視認可能な領域内に出現するという程度の単純な変化に過ぎないため、可動盤面部品の動作量や動作タイミングに変化を付与したとしても変化に乏しい内容となり易く、遊技者に退屈感を与え、興趣を低下させるという問題があった。
また、従来の可動盤面部品は、遊技盤面積に比して小型であり、遊技盤面積のうちの極限された箇所に配置されて動作するに過ぎず、遊技盤全体に相当する面積を有した可動盤面部品によってスケールの大きい特徴的な演出を行うという発想はこれまで存在しなかった。
本発明は上記に鑑みてなされたものであり、遊技盤面全体に展開する大型のギミックを変形させることによりギミックの全体形状に大きな変化を与えて種々の演出効果を発揮できるようにした可動盤面部品、遊技盤ユニット、及びパチンコ遊技機を提供するものである。
【課題を解決するための手段】
【０００５】
上記目的を達成するため、請求項１の発明に係る可動盤面部品は、従動ギヤ支持部材により回転自在に支持された円盤状の従動ギヤと、前記従動ギヤの盤面に貫通形成された複数のカムスリットと、前記従動ギヤ支持部材に固定されると共に一つのカムスリット内に遊嵌された固定ピンと、該固定ピンにより回転自在に支持された少なくとも一つのギミック片と、該ギミック片の他の部位に回転自在に支持され且つ他のカムスリット内に遊嵌した可動ピンと、を備え、前記固定ピンを遊嵌する前記カムスリットは、前記従動ギヤと同軸状の円弧形状を備えており、前記従動ギヤが回動することにより、前記各カムスリットに沿って前記固定ピンと可動ピンが相対移動して前記ギミック片を動作させることを特徴とする。
【０００６】
請求項２の発明に係る可動盤面部品は、ベース部材により回転自在に支持された環状の駆動ギヤと、該駆動ギヤの前面側に同軸状且つ該駆動ギヤとは相対回転可能に支持された円盤状の従動ギヤと、前記駆動ギヤを回転駆動する駆動源と、該駆動ギヤの回転駆動力を従動ギヤに伝達する伝達部材と、前記従動ギヤの盤面に貫通形成された複数のカムスリットと、前記駆動ギヤに固定されると共に一つのカムスリット内に遊嵌された固定ピンと、固定ピンにより回転自在に支持された少なくとも一つのギミック片と、ギミック片の他の部位に回転自在に支持され且つ他のカムスリット内に遊嵌した可動ピンと、を備え、前記固定ピンを遊嵌する前記カムスリットは、前記従動ギヤと同軸状の円弧形状を備えており、前記駆動ギヤの回転時に前記伝達部材から伝達される駆動力によって前記従動ギヤが該駆動ギヤと一体回転し、前記駆動ギヤの停止時に前記従動ギヤが回動することにより、前記各カムスリットに沿って前記固定ピンと可動ピンが相対移動して前記ギミック片を動作させることを特徴とする。
遊技盤の面積に匹敵する面積を有した大径の駆動ギヤと従動ギヤを前後位置関係で近接配置する一方で、駆動源、及び伝達部材を両ギヤの外周縁に沿って配置したので、両ギヤ５１、６０の外周ギヤ部、及び駆動源、伝達部材を遊技者の視野から容易に隠蔽することが可能となる。従って、遊技盤全面に渡るサイズを有した全面ギミックを構築することができる。つまり、遊技盤全体に渡るサイズを有したギミックを用いてスケールの大きい演出を実現することが可能となる。更に、ギミックを遊技盤面の外周縁に沿った位置に配置することにより、遊技盤面中央部に広いスペースを確保することが可能となり、その分だけ液晶画面のサイズを大きくすることができるので、より大きな液晶画面を採用することが可能となり、全面液晶画面を構築することが可能となる。
このように本発明によれば、遊技盤面全体に展開する大型のギミックを変形させることによりギミックの全体形状に大きな変化を与えて種々の演出効果を発揮させる等の優れた効果を得ることができる。
【０００７】
請求項３の発明に係る可動盤面部品では、前記伝達部材は、一端部を回動自在に軸支された少なくとも二個のリンク片と、該各リンク片によって夫々回転自在に軸支され互いに一列に噛合した小ギヤ列と、から成り、一方のリンク片により軸支された固定小ギヤは前記ベース部材により回転自在に軸固定され且つ前記駆動ギヤと噛合しており、他方のリンク片により軸支された可動小ギヤは前記従動ギヤと噛合しており、前記リンク片の位置関係を変化させることにより前記固定小ギヤに対して前記可動小ギヤを接近・離間させ、且つ前記可動小ギヤを前記従動ギヤ外周に沿って進退させる過程で該従動ギヤだけを回動させる構成を備えていることを特徴とする。
伝達部材を小ギヤ群から構成したのでコンパクト化が可能であり、大径の駆動ギヤ及び従動ギヤの外周に沿った狭いスペース内に配置することが可能となる。また、伝達部材は他の部材による隠蔽が容易である。
請求項４の発明に係る可動盤面部品では、前記駆動ギヤの停止時に前記従動ギヤが一方向へ回動することにより、前記各カムスリットに沿って前記固定ピンと前記可動ピンが相対移動して前記各ギミック片を結集方向へ動作させてギミックの完成形状を形成し、前記駆動ギヤの停止時に前記従動ギヤが他方向へ回動することにより、前記各カムスリットに沿って前記固定ピンと前記可動ピンが他方向へ相対移動して前記各ギミック片を動作させることにより前記ギミックの完成形状を解消することを特徴とする。
従動ギヤの盤面に設けたカムスリットを利用してギミック片を動作させることができるため、構成をシンプル化し、部品点数を低減することができる。
【０００８】
請求項５の発明に係る可動盤面部品では、前記伝達部材は、前記駆動ギヤ及び前記従動ギヤの外周ギヤ部に沿って配置されていることを特徴とする。
請求項６の発明に係る可動盤面部品では、前記ギミックは、開閉自在に連結された２つのギミック片から成るギミック片ユニットを複数個備えており、前記各ギミック片に設けた前記可動ピンを前記他のカムスリットに遊嵌した構成を備えていることを特徴とする。
請求項７の発明に係る可動盤面部品では、前記ギミック片に搭載したＬＥＤと、前記駆動ギヤの円周方向に沿って配置された導板と、前記ＬＥＤと前記導板とを電気的に接続するハーネスと、前記導板と摺動的に接触する摺動電極と、該摺動電極にＬＥＤ用の電力を供給する電源と、を備えたことを特徴とする。
摺動電極を利用しているため、可動部品としてのギミックに搭載したＬＥＤを発光させることが可能となる。
請求項８に係る遊技盤ユニットでは、遊技盤と、該遊技盤の背面側に配置された請求項２乃至７の何れか一項に記載の可動盤面部品と、を備えたことを特徴とする遊技盤ユニット。
請求項９の発明に係る遊技盤ユニットでは、前記遊技盤は、少なくとも一部が透明な透明遊技盤であることを特徴とする。
請求項１０の発明に係るパチンコ遊技機では、請求項８又は９に記載の遊技盤ユニットを備えたことを特徴とする。
【発明の効果】
【０００９】
本発明によれば、駆動ギヤ、従動ギヤ、及び伝達部材から成るシンプルな駆動機構を用いることにより、遊技盤面全体に展開する大型のギミックを変形させることによりギミックの全体形状に大きな変化を与えて種々の演出効果を発揮させる等の優れた効果を得ることができる。
このため、遊技盤全体に渡るサイズを有したギミックを用いてスケールの大きい演出を実現することが可能となる。更に、ギミックを遊技盤面の外周縁に沿った位置に配置することにより、遊技盤面中央部に広いスペースを確保することが可能となり、その分だけ液晶画面のサイズを大きくすることができるので、より大きな液晶画面を採用することが可能となり、全面液晶画面を構築することが可能となる。
【図面の簡単な説明】
【００１０】
【図１】本発明に係る可動盤面部品（ギミック及びその駆動機構）を遊技盤の背面側に備えたパチンコ遊技機の正面図である。
【図２】遊技盤を除去したことにより露出状態となったギミックの構成を示す正面図である。
【図３】可動盤面部品の構成を示す背面側斜視図である。
【図４】（ａ）及び（ｂ）は可動盤面部品の分解斜視図、及びその要部拡大図である。
【図５】可動盤面部品の背面側斜視図である。
【図６】完成形状にあるギミックと駆動機構の状態を示す正面図である。
【図７】完成形状が解消される過程におけるギミックの構成と駆動機構の状態を示す背面図である。
【図８】完成形状が解消される過程におけるギミックの構成と駆動機構の状態を示す背面図である。
【図９】カムスリットに沿って作動するギミック片の状態を示す図である。
【図１０】カムスリットに沿って作動するギミック片の状態を示す図である。
【図１１】（ａ）及び（ｂ）は伝達部材の状態とギミックの状態との対応関係を説明する図である。
【図１２】（ａ）及び（ｂ）は伝達部材の状態とギミックの状態との対応関係を説明する図である。
【図１３】従動ギヤに電力を供給する電極構造の一例を示す説明図である。
【図１４】（ａ）及び（ｂ）はギミックの外観斜視図、及びその要部構成を示す説明図である。
【発明を実施するための形態】
【００１１】
以下、本発明を図面に示した実施の形態により詳細に説明する。
図１は本発明に係る可動盤面部品（ギミック及びその駆動機構）を遊技盤の背面側に備えたパチンコ遊技機の正面図であり、図２は遊技盤を除去したことにより露出状態となったギミックの構成を示す正面図であり、図３は可動盤面部品の構成を示す背面側斜視図であり、図４（ａ）及び（ｂ）は可動盤面部品の分解斜視図、及びその要部拡大図であり、図５は可動盤面部品の背面側斜視図であり、図６は完成形状にあるギミックと駆動機構の状態を示す正面図であり、図７及び図８は完成形状が解消される過程におけるギミックの構成と駆動機構の状態を示す背面図であり、図９、及び図１０はカムスリットに沿って作動するギミック片の状態を示す図であり、図１１（ａ）及び（ｂ）、図１２（ａ）及び（ｂ）は伝達部材の状態とギミックの状態との対応関係を説明する図であり、図１３は従動ギヤに電力を供給する電極構造の一例を示す説明図であり、図１４（ａ）及び（ｂ）はギミックの外観斜視図、及びその要部構成を示す説明図である。
【００１２】
図１に示すパチンコ遊技機１は、矩形形状の枠２を有し、この枠２の窓孔に対して遊技盤３が着脱可能に取り付けられている。
遊技盤３の前面側には、図示しないガラス枠が開閉可能に取り付けられている。また遊技盤３の下部には、遊技球を貯留する受け皿部４と、この受け皿部４内の遊技球を発射する発射レバー５等が設けられている。
受け皿部４の上面には、例えば遊技者自身に操作を行わせて遊技に対する参加感を演出する演出ボタン６が設けられている。また、図示しないが受け皿部４の上面には、遊技球の購入ボタン、購入取り消しボタン、受け皿部４内の遊技球を下方から外部に抜くための球抜きボタン等が設けられている。
遊技盤３の背面側には、可動盤面部品Ａ、画像表示手段である画像表示器１１が順次配置され、更に主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、外レールＲ１及び内レールＲ２が設けられている。これら外レールＲ１及び内レールＲ２は、発射レバー５を操作したときに発射装置から発射された遊技球を遊技領域３ａの上部に案内したり、アウト口１８に案内する。
【００１３】
画像表示器１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示器１１の下方には、可変入賞装置１２が配置されている。可変入賞装置１２は、上始動口１３と、左右一対の開閉爪（可動片）を有する電動式チューリップ（以下、「電チュー」と称する）１４とを備えて構成される。上始動口１３の内部には、特別図柄表示器２１の特別図柄を変動表示する権利を発生させる第１始動口スイッチ（ＳＷ）１３ａ（図２参照）が設けられている。また電チュー１４の内部には、特別図柄表示器２２の特別図柄を変動表示する権利を発生させる第２始動口スイッチ（ＳＷ）１４ａ（図２参照）が設けられている。なお、本実施形態では、上始動口１３と電チュー１４とにそれぞれ別々の始動口スイッチを設けるようにしているが、これはあくまでも一例であり始動口スイッチは共有してもよい。
【００１４】
また画像表示器１１の左側には、後述する普通図柄表示器２３を作動させるためのゲート１５が設けられている。ゲート１５は、その内部にゲートスイッチ（ＳＷ）１５ａ（図２参照）が設けられており、遊技球がゲートＳＷ１５ａを通過したときに、普通図柄表示器２３の普通図柄が所定時間作動して停止するようになっている。普通図柄表示器２３の普通図柄が所定態様で停止した場合は、電チュー１４が所定時間、開成動作するように構成されている。
可変入賞装置１２の下方には、特別遊技状態のときに開成状態になる大入賞装置の大入賞口１６が設けられている。
さらに遊技盤３の遊技領域３ａには、普通入賞口１７が設けられていると共に、風車や図示しない多数の遊技釘が突設されている。遊技釘は、遊技球の落下速度を遅くすると共に、落下方向を複雑に変化させて遊技進行上の興趣を高めている。
遊技盤３の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。第１特別図柄表示器２１及び第２特別図柄表示器２２は、特別図柄を変動表示させ所定時間経過後に当該変動表示を静止させることにより当たりに当選したか否か表示する。
【００１５】
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化する場合を例に挙げて説明するが、保留球の入賞順に消化するように構成してもよい。
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。なお、本実施形態では、第１、第２特別図柄表示器２１、２２、普通図柄表示器２３、第１、第２特別図柄保留ランプ２４、２５、及び普通図柄保留ランプ２６を、遊技盤３の遊技領域外に配置するようにしているが、これはあくまでも一例であり、これらの表示器を遊技盤３の遊技領域３ａ内に配置することも勿論可能である。
本発明に係る可動盤面部品Ａは、盤面全体に展開した大きな形状を有したギミック３０と、ギミックの駆動機構５０と、から概略構成されている。
本例に係る遊技盤３は少なくとも一部がアクリル等の透明材料から構成されており、ギミック３０、及び駆動機構５０は遊技盤の背面側に配置されている。このため、遊技者は透明な遊技盤（透明遊技ｂな）を透過して背面側に位置するギミックの動作を目視することができる。
【００１６】
本実施形態に係るギミック３０は、複数個（本例では２個）の略長方形状のギミック片３１、３２をＶ字状に組み合わせて構成されたギミック片ユニットＵを５個備えており、全てのギミック片ユニットＵが結合状態にあるときには図１、図６等の如き星形の完成形状を形成し、離間状態（分解状態）にある時には図７、図８の如く完成形状を解体した分解形状を形成する。
各ギミック片ユニットＵは、駆動機構５０による駆動によって完成形状と分解形状との間で交互に変形する。
駆動機構５０は、遊技盤３、或いは枠２に組み付けられたベース部材７により回転自在に支持された環状且つ大径の駆動ギヤ５１と、駆動ギヤ５１の前面側に同軸状且つ駆動ギヤとは相対回転可能に配置されて回転自在に支持された円盤状且つ大径の従動ギヤ６０と、駆動ギヤ５１を回転駆動する駆動源（モータ５５ａ、出力ギヤ５５ｂ）５５と、駆動ギヤ５１の回転駆動力を従動ギヤ６０に伝達する伝達部材７０と、従動ギヤ６０の盤面６０ａに貫通形成された複数のカムスリット６５ａ、６５ｂ、６５ｃ、６５ｄと、駆動ギヤ５１に固定されると共に最外径側のカムスリット６５ａ内に遊嵌された固定ピン６６と、を備え、固定ピン６６、及び各ギミック片３１、３２に設けた可動ピン３４、３１ａ、３２ａが夫々各カムスリット６５ａ〜６５ｄ内に遊嵌して各カムスリット内を移動するように構成されている。本例では、固定ピン６６は、各ギミック片ユニットＵを構成する一方のギミック片３１により回転自在に支持されている。後述するように駆動ギヤ５１を停止させた状態で伝達部材７０を利用して従動ギヤ６０だけを回動させることにより、ギミック片３１に支持された固定ピン６６がカムスリット６５ａ内に沿って周方向へ相対的に移動し、この過程でギミック片３１、３２の他の部位に回転自在に支持された可動ピン３４、３１ａ、３２ａが他のカムスリット内に沿って移動し、各カムスリットにより規定される軌跡に沿って動作する。
円盤状の駆動ギヤ５１はその中心点Ｃを中心として回転するように、四箇所に設けた回転ガイド部材５６によってその外周ギヤ部を支持されている。回転ガイド部材５６は、駆動ギヤ５１の外周ギヤ部と噛合して連れ回りしつつ駆動ギヤ５１の回転をガイドするガイドギヤ５６ａと、ガイドギヤ５６ａを回転自在に支持する支持部材５６ｂと、から構成されている。
【００１７】
一方、従動ギヤ６０は、その盤面６０ａに設けた最外径側のカムスリット６５ａ内に駆動ギヤ５１から突設された固定ピン６６が嵌合してカムスリット６５ａ内を周方向に相対移動することにより、その中心点Ｃを中心として回動することができる。即ち、カムスリット６５ａは駆動ギヤ５１及び従動ギヤ６０と同心円状の軌跡を備えているため、従動ギヤ６０は駆動ギヤ５１と同軸状に回転することとなる。カムスリット６５ａは、従動ギヤの周方向に沿って五箇所設けられ、各カムスリット６５ａ内に夫々固定ピン６６が挿通されているため、従動ギヤは駆動ギヤ５１と共通の中心点Ｃを中心としてカムスリット６５ａの周方向長さの範囲内で同軸状に回動することができる。
同一の構成を有した各ギミック片ユニットＵは、夫々、２つのギミック片３１、３２をＶ字状、且つ開閉自在に連結した構成を備えており、Ｖ字の頂部に相当する部位に両ギミック片３１、３２を開閉自在に軸支する軸支部３３が設けられている。
【００１８】
図４に基づいて固定ピン周辺の構造について説明すると、第１のカムスリット６５ａの前面側には三角形状の連結板５２が配置されており、連結板５２の３つの頂部には穴５２ａ、５２ｂ、５２ｃが貫通形成されている。一つの穴５２ａには固定ピン６６が挿通され、第１のカムスリット６５ａを介して駆動ギヤ５１の適所に固定される。他の穴５２ｂには、ギミック片ユニットＵの軸支部３３を構成するピン３３ａを締結する。更に他の穴５２ｃは、内径側に位置する第２のカムスリット６５ｂ内に遊嵌する可動ピン３４を支持する。本例では可動ピン３４を一方のギミック片３２の端部近傍に設ける一方で、ギミック片３１の略中間部に設けた他の可動ピン３１ａを第３のカムスリット６５ｃ内に遊嵌する。更に、ギミック片３２の略中間部に設けた可動ピン３１ｂを第４のカムスリット６５ｄ内に遊嵌させている。また、連結板５２には、各ギミック片ユニットＵに搭載したＬＥＤ３５に給電するためのハーネス３６を挿通する穴も形成されている。
従動ギヤ６０は、駆動ギヤ５１の回転時に伝達部材７０を構成する小ギヤ群から伝達される駆動力によって駆動ギヤと一体回転する。一方、駆動ギヤ５１の停止時に伝達部材７０を操作して従動ギヤ６０を単独で正逆回転させることにより、各カムスリット６５ａ〜６５ｄに沿って固定ピン６６と各可動ピン３４、３１ａ、３２ａが相対移動し、その結果Ｖ字状のギミック片３１、３２を軸支部３３を中心として開閉しつつ移動させることが可能となる。各ギミック片３１、３２は、固定ピン及び各可動ピンが各カムスリットに沿って移動することにより所定の軌跡に沿って開閉、移動するため、ギミック３０を完成形状と分解形状との間で変形させることができる。ギミック片がどのような変形状態にあるかに関係なく、駆動ギヤ５１を回転することにより、従動ギヤ６０は駆動ギヤと一体回転し、従動ギヤの盤面に搭載されたギミック３０も一体回転する。
【００１９】
伝達部材７０は、各図に示すように、一端部（内径側端部）に設けた固定軸部７１ａをベース部材７により回動自在に軸支されて固定軸部７１ａを中心として揺動する略Ｌ字状のリンク片７１と、一端部に支持した可動小ギヤ７４ａを従動ギヤ６０と噛合させた略Ｌ字状のリンク片７２と、各リンク片７１、７２によって夫々回転自在に軸支され互いに一列に噛合した小ギヤ列７３（７３ａ、７３ｂ、７３ｃ）、７４（７４ａ、７４ｂ、７４ｃ）と、外径側端部に位置する小ギヤ７３ｃ、７４ｃ間に位置して両小ギヤを連結する中間ギヤ７５と、中間ギヤ７５、小ギヤ７３ｃ、７４ｃの回転軸を夫々支持する連設板７６と、を有する。連設板７６は、両リンク片７１、７２が分離せずに連結した状態を維持する役割と、小ギヤ７３ｃ、７４ｃの各回転軸を中心として各リンク片７１、７２を開閉（回動）できるように支持する役割を果たす。
なお、本例の各リンク片７１、７２は、夫々、各小ギヤを間に挟んで前後位置関係で一枚ずつ配置されており、リンク片間に各小ギヤをサンドイッチ状に配置した状態で各小ギヤを回転自在に軸支している。
【００２０】
固定軸部７１ａには、駆動ギヤ５１と常時噛合する固定小ギヤ７３ａが回転自在に軸支されており、固定小ギヤ７３ａはベース部材７上の固定位置にて回転する。リンク片７２の一端に設けた軸部７２ａにより回転自在に支持された可動小ギヤ７４ａは、従動ギヤ６０と常時噛合している。従って、駆動ギヤ５１が回転駆動されることによりその駆動力は固定小ギヤ７３ａから他の小ギヤ７３ｂ、７３ｃ、中間ギヤ７５、小ギヤ７４ｃ、７４ｂ、７４ａ、従動ギヤ６０へと順次伝達されて従動ギヤを正逆転させる。
固定小ギヤ７３ａは従動ギヤ６０とは噛合せずに駆動ギヤ外周のギヤ部と噛合し、可動小ギヤ７４ａは駆動ギヤとは噛合せずに従動ギヤ外周のギヤ部と噛合するように、固定小ギヤ７３ａと可動小ギヤ７４ａの前後位置がずれている。
各リンク片７１、７２の他端はギヤ状部７１ｂ、７２ｂとなっており、各ギヤ状部７１ｂ、７２ｂ同士が噛合することによりＶ字状に交差する各リンク片の開放角度を変化させることが可能となる。即ち、駆動ギヤを停止した状態で、位置が固定された各リンク片７１の固定軸部７１ａに対するリンク片７２の軸部７２ａの距離Ｌを変化させることによりリンク片間の開放角度を変化させることができる。このようにリンク片７１、７２の位置関係を変化させてリンク片の開放角度を広狭変化させることにより、固定小ギヤ７３ａに対して可動小ギヤ７４ａを接近・離間させ、且つ可動小ギヤ７４ａを従動ギヤ６０外周に沿って進退させる過程で従動ギヤ６０だけを回転させることが可能となる。
【００２１】
リンク片７２の軸部７２ａは、ベース部材７に固定されたガイド部材８に設けた円弧状にガイドスリット８ａに沿った所定の軌跡に沿って従動ギヤ６０の外周に沿って進退する。
また、リンク片７２の一端部に設けた支持穴７２ｃ内に操作部材７７を固定し、この操作部材７７をモータ、ソレノイドによって、駆動ギヤ５１の外周縁に沿った円弧軌道に沿って進退移動させることにより、伝達部材７０を図６に示した状態から図７に示した状態を経て図８に示した状態に変形させることができる。操作部材７７はベース部材７に設けたガイドスリット７ａに沿った所定の軌跡に沿って移動する。
伝達部材７０が上記の如き構成を備えているため、駆動ギヤ５１の停止時に伝達部材７０を図８、図７、及び図６の各姿勢の順序で伸張動作させることにより、従動ギヤ６０が一方向へ回動し、各カムスリット６５ａ〜６５ｄに沿って固定ピン６６と可動ピン３４、３１ａ、３２ａが相対移動して各ギミック片３１、３２を結集方向へ動作させてギミック３０の完成形状を形成する。更に、駆動ギヤ５１の停止時に伝達部材７０を図６、図７、及び図８の各姿勢の順序で逆方向へ収縮動作させることにより、従動ギヤが他方向へ回動し、各カムスリットに沿って固定ピンと可動ピンが他方向へ相対移動して各ギミック片を離間する方向へ動作させてギミックの完成形状を解消する。
【００２２】
図１１（ａ）及び（ｂ）、図１２（ａ）及び（ｂ）は伝達部材７０と各ギミック片ユニットＵとの対応関係を示しており、図１１のように固定小ギヤ７３ａに対して可動小ギヤ７４ａを最も離間させた場合には各ギミック片ユニットＵは結集状態となって星形のギミックを完成させる。一方、図１２のように固定小ギヤ７３ａに対して可動小ギヤ７４ａを最も接近させた場合には各ギミック片ユニットＵは離間状態となって星形のギミック形状を解消させる。この変形の過程において、何れのギミック片ユニットも画像表示器１１に干渉してこれを隠蔽することがないように構成することが容易である。このため、画像表示器１１の面積を任意に拡大し、大型化することが可能となる。
また、駆動ギヤ５１と従動ギヤ６０の外周のギヤ部、及び伝達部材７０は遊技盤の外周に沿った位置にあるため、透明な遊技盤３の前方から視認されないように図示しない隠蔽部材により隠蔽することが容易である。
図６、図７、図８のいずれの状態においても、駆動ギヤ５１を回転させると、伝達部材を構成する各小ギヤが回転するため、従動ギヤ６０が回転し、従動ギヤ６０の盤面に配置されたギミック片ユニットＵはそのままの姿勢にて回転する。
【００２３】
次に、図１３、及び図１４に基づいてギミックに搭載したＬＥＤによって電飾効果を発揮させるための構成例について説明する。
駆動ギヤ５１の後面にはスリーブ８０が円筒状に突設されており、スリーブ８０の外周面には全周に渡って二本の導板８１が固定されている。一方、遊技機本体側から延びる給電用のハーネス８５の先端には板バネから成る摺動電極８６が接続されており、二本の摺動電極８６は夫々各導板８１に対して摺動的に接触（圧接）している。更に、各導板８１は図４中に示したハーネス３６を介して、各ギミック片３１、３２に搭載されたＬＥＤ３５と導通している。このため、駆動ギヤ５１の回転中であっても図示しない電源からの電力は摺動電極８６、導板８１、ハーネス３６を介してＬＥＤ３５に供給されてＬＥＤを発光させることができる。
【００２４】
以上のように本発明の可動盤面部品Ａにあっては、遊技盤の面積に匹敵する面積を有した大径の駆動ギヤ５１と従動ギヤ６０を前後位置関係で近接配置する一方で、駆動源５５、及び伝達部材７０を両ギヤ５１、６０の外周縁に沿って配置したので、透明な材料から成る遊技盤の背面側にこの可動盤面部品Ａを配置したとしても両ギヤ５１、６０の外周ギヤ部、及び駆動源、伝達部材を遊技者の視野から容易に隠蔽することが可能となる。従って、ギミックが遊技盤全体に出現した状態から、退避した状態への速やかな移行を可能とした遊技盤全面に渡るサイズを有した全面ギミックを構築することができる。つまり、遊技盤全体に渡るサイズを有したギミックを用いてスケールの大きい演出を実現することが可能となる。更に、ギミックを遊技盤面の外周縁に沿った位置に配置することにより、遊技盤面中央部に広いスペースを確保することが可能となり、その分だけ液晶画面のサイズを大きくすることができるので、より大きな液晶画面を採用することが可能となり、全面液晶画面を構築することが可能となる。
このように本発明によれば、遊技盤面全体に展開する大型のギミックを変形させることによりギミックの全体形状に大きな変化を与えて種々の演出効果を発揮させる等の優れた効果を得ることができる。
また、伝達部材７０は、小ギヤ列から構成されているため、コンパクト化が可能であり、パチンコ遊技機の限られたスペース内にレイアウトすることが可能となる。
【００２５】
上記の実施形態では、ギミックとして複数のギミック片ユニットＵから成る星形の構成例を示したが、これは一例に過ぎず、本発明の駆動機構によるギミック変形のための構成は、種々の形態を有したギミックに適用できることは言うまでもない。
なお、上記実施形態では、従動ギヤ６０を伝達部材７０を介して駆動ギヤ５１によって回転駆動させる構成例を示したが、これは一例であり、例えば駆動ギヤ、及び伝達部材を省略した構成としてもよい。
即ち、駆動ギヤ及び伝達部材を省略すると共に、ベース部材７の如き従動ギヤ支持部材により円盤状の従動ギヤ６０を回転自在に支持し、更に従動ギヤ支持部材から突設した固定ピン６６をカムスリット６５ａに遊嵌させる。その他の構成は上記実施形態と同様であり、固定ピン６をギミック片に回転自在に支持すると共に、ギミック片の他の部位に可動ピンを設ける。可動ピンは他のカムスリットに遊嵌する。また、カムスリット６５ａは、従動ギヤと同軸状の円弧形状を備えている。
このように構成した場合には、従動ギヤが回動することにより、各カムスリットに沿って固定ピンと可動ピンが相対移動してギミック片を動作させることができる。このため、駆動ギヤ、伝達部材を省略しても、従動ギヤの正逆動作によってギミック片を種々変形させることが可能となる。
本発明に係る可動盤面部品Ａと、遊技盤３とは、一つの遊技盤ユニットを構成しており、この遊技盤ユニットは、パチンコ遊技機、スロットマシン等の各種遊技機に適用することができる。
なお、上記実施形態では本発明の可動盤面部品Ａを透明な遊技盤の背面側に配置する構成例を示したがこれは一例であり、従来の非透明な遊技盤に適用してもよい。
【符号の説明】
【００２６】
Ａ…可動盤面部品、１…パチンコ遊技機、２…枠、３…遊技盤、３ａ…遊技領域、４…皿部、５…発射レバー、７…ベース部材（従動ギヤ支持部材）、７ａ…ガイドスリット、８…ガイド部材、８ａ…ガイドスリット、１１…画像表示器、１２…可変入賞装置、１３…上始動口、１４…電チュー、１５…ゲート、１５ａ…ゲートＳＷ、１６…大入賞口、１７…普通入賞口、１８…アウト口、２１、２２…特別図柄表示器、２３…普通図柄表示器、２４…特別図柄保留ランプ、２５…特別図柄保留ランプ、２６…普通図柄保留ランプ、３０…ギミック、３１、３２…ギミック片、３１ａ…可動ピン、３２ａ…可動ピン、３３…軸支部、３３ａ…ピン、３４…可動ピン、３５…ＬＥＤ、３６…ハーネス、５０…駆動機構、５１…駆動ギヤ、５２…連結板、５２ａ…穴、５２ｂ…穴、５２ｃ…穴、５５…駆動源、５５ａ…モータ、５５ｂ…出力ギヤ、５６…回転ガイド部材、５６ａ…ガイドギヤ、５６ｂ…支持部材、６０…従動ギヤ、６０ａ…盤面、６５ａ〜６５ｄ…カムスリット、６６…固定ピン、７０…伝達部材、７１、７２…リンク片、７１ａ…固定軸部、７１ｂ…ギヤ状部、７１ｂ…各ギヤ状部、７２…リンク片、７２ａ…軸部、７２ｃ…支持穴、７３…小ギヤ列、７３ａ…固定小ギヤ、７３ｂ…小ギヤ、７３ｃ…小ギヤ、７４ａ…可動小ギヤ、７４ｃ…小ギヤ、７５…中間ギヤ、７６…連設板、７７…操作部材、８０…スリーブ、８１…導板、８５…ハーネス、８６…摺動電極
【図１】
2011015736.tif 000003
【図２】
2011015736.tif 000004
【図３】
2011015736.tif 000005
【図４】
2011015736.tif 000006
【図５】
2011015736.tif 000007
【図６】
2011015736.tif 000008
【図７】
2011015736.tif 000009
【図８】
2011015736.tif 000010
【図９】
2011015736.tif 000011
【図１０】
2011015736.tif 000012
【図１１】
2011015736.tif 000013
【図１２】
2011015736.tif 000014
【図１３】
2011015736.tif 000015
【図１４】
2011015736.tif 000016